(57)【要約】【課題】  システムの操作性、柔軟性、拡張性をさらに改善した携帯電話機を利用した情報配信システムを提供する。【解決手段】  配信管理サーバ２は、配信する情報を配信目的に応じて分類した情報分類コードごとに、予め設定された複数種のカテゴリの情報データを蓄積する情報蓄積サーバ３のＵＲＬを記憶した配信管理データテーブル２Ｄ１と、ユーザの携帯電話機１ａが配信管理サーバ２をアクセスしたときに携帯電話機１ａに表示するＷｅｂページであって、情報分類コードを入力する情報分類コード入力欄を有する情報分類コード入力Ｗｅｂページと、この情報分類コード入力Ｗｅｂページに入力された情報分類コードを取得したときに、複数種のカテゴリの情報データを蓄積する情報蓄積サーバ３のＵＲＬと関連付けされ、複数種のカテゴリの情報データのいずれか一つの情報の配信要求を行なうための配信要求Ｗｅｂページを備えている。【選択図】    図１
2007004759.tif 000002
【特許請求の範囲】
【請求項１】
インターネットを介して配信管理サーバに情報の配信を要求するユーザの端末装置と、前記情報を蓄積する情報蓄積サーバを備えた情報配信システムにおいて、
前記配信管理サーバは、
前記情報の種類を配信目的に応じて分類した情報分類コードごとに、予め設定された複数種のカテゴリの情報データを蓄積する情報蓄積サーバのＵＲＬを記憶した配信管理データテーブルと、
さらに、前記ユーザの端末装置が前記配信管理サーバをアクセスしたときに前記ユーザの端末装置に表示するＷｅｂページであって、前記情報分類コードを入力する情報分類コード入力欄を有する情報分類コード入力Ｗｅｂページと、
前記情報分類コード入力Ｗｅｂページに入力された前記情報分類コードを取得したときに前記ユーザの端末装置に表示するＷｅｂページであって、前記複数種のカテゴリの情報データを蓄積する情報蓄積サーバのＵＲＬと関連付けされ、前記複数種のカテゴリの情報データのいずれか一つの情報の配信要求を行なうための配信要求Ｗｅｂページと、
を備えていることを特徴とする情報配信システム。
【請求項２】
前記配信管理サーバは、前記ユーザの端末装置に前記情報分類コードに対応する情報分類名称の一覧を表示するための情報分類名称一覧Ｗｅｂページを備え、前記情報分類名称一覧Ｗｅｂページから指定された情報分類名称に対応する前記情報分類コードが、前記情報分類コード入力Ｗｅｂページの情報分類コード入力欄に表示されるようになされていることを特徴とする請求項１に記載の情報配信システム。
【請求項３】
前記ユーザの端末装置は、携帯電話機から構成されることを特徴とする請求項１または請求項２に記載の情報配信システム。
【請求項４】
前記ユーザの端末装置は携帯電話機から構成され、かつ、前記情報分類コードは、前記情報の配信依頼者の電話番号から構成されることを特徴とする請求項１または請求項２に記載の情報配信システム。
【発明の詳細な説明】
【技術分野】
【０００１】  本発明は、配信要求を行ったユーザの携帯電話機に各種の情報を、インターネットを利用して提供する情報配信システムに関するものである。
【背景技術】
【０００２】  近年、携帯電話機の技術発展により、インターネット接続機能を備えたユーザの携帯電話機から、各種の情報を蓄積したサーバをアクセスして、携帯電話機に情報を配信（提供）する情報配信システムが提案され、実用化されている。【０００３】  このような携帯電話機を利用した情報配信システムの一例として、例えば、下記の特許文献１に示すようなインターネットを利用したクーポン情報の配信方法が提案されている。【０００４】
【特許文献１】  特開２００１−３５７２７９号公報
【０００５】  上記特許文献１には、ユーザの携帯電話機がクーポン提供サイトをアクセスすると、クーポン提供サイトは、クーポン提供店舗の情報を登録したデータベースに基づいて、まず、ユーザが希望するクーポンを検索して選択するための画面、例えば、店舗リストをユーザの携帯電話機に表示する。続いて、ユーザが希望する店舗を選択すると、クーポン提供サイトはユーザの携帯電話機に、クーポンとクーポンに関連する情報を表示するようにしている。また、このクーポンに関連する情報としては、店舗の電話番号を表示して、この電話番号をクリックすることにより店舗にダイヤリングすることが記載されている。さらに、特許文献１には、携帯電話機をカーナビゲーションに接続し、店舗に係わる情報をカーナビゲーションに転送して、カーナビゲーションの表示画面にこの店舗のランドマークを表示させることが記載されている。
【発明の開示】
【発明が解決しようとする課題】
【０００６】  特許文献１に記載の発明のように各種の情報配信システムにおいては、ユーザからの情報の配信要求に対して、配信する情報を検索するためのデータベースのデータ構成を如何にするかが極めて重要になる。特に、ユーザの情報の配信要求に対して、このデータベースを検索するための情報との関連付けが適切に行われようにすると、ユーザの配信要求に対する操作は極めて簡素化できると共に、システムの柔軟性、拡張性も向上する。特許文献１に記載の発明には、このような観点から考慮したデータベースのデータ構成等については開示されていない。【０００７】  そこで、本発明の目的は、従来の携帯電話機を利用した情報配信システムについて、システムの操作性、柔軟性、拡張性をさらに改善した携帯電話機を利用した情報配信システムを提供することにある。
【課題を解決するための手段】
【０００８】  本発明は、インターネットを介して配信管理サーバに情報の配信を要求するユーザの端末装置と、前記情報を蓄積する情報蓄積サーバを備えた情報配信システムにおいて、
前記配信管理サーバは、
前記情報の種類を配信目的に応じて分類した情報分類コードごとに、予め設定された複数種のカテゴリの情報データを蓄積する情報蓄積サーバのＵＲＬを記憶した配信管理データテーブルと、
さらに、前記ユーザの端末装置が前記配信管理サーバをアクセスしたときに前記ユーザの端末装置に表示するＷｅｂページであって、前記情報分類コードを入力する情報分類コード入力欄を有する情報分類コード入力Ｗｅｂページと、
前記情報分類コード入力Ｗｅｂページに入力された前記情報分類コードを取得したときに前記ユーザの端末装置に表示するＷｅｂページであって、前記複数種のカテゴリの情報データを蓄積する情報蓄積サーバのＵＲＬと関連付けされ、前記複数種のカテゴリの情報データのいずれか一つの情報の配信要求を行なうための配信要求Ｗｅｂページと、
を備えている情報配信システムである。【０００９】  さらに、本発明は、前記配信管理サーバは、前記ユーザの端末装置に前記情報分類コードに対応する情報分類名称の一覧を表示するための情報分類名称一覧Ｗｅｂページを備え、前記情報分類名称一覧Ｗｅｂページから指定された情報分類名称に対応する前記情報分類コードが、前記情報分類コード入力Ｗｅｂページの情報分類コード入力欄に表示されるようになされている情報配信システムである。【００１０】  さらに、本発明は、前記ユーザの端末装置は、携帯電話機から構成される情報配信システムである。【００１１】  さらに、本発明は、前記ユーザの端末装置は携帯電話機から構成され、かつ、前記情報分類コードは、前記情報の配信依頼者の電話番号から構成されている情報配信システムである。【００１２】  なお、上記した携帯電話機は、インターネット接続機能と、３ＧＰＰ（３ｒｄ  Ｇｅｎｅｒａｔｉｏｎ  Ｐａｒｔｎｅｒｓｈｉｐ  Ｐｒｏｊｅｃｔ）の仕様に準拠した機能を備えて、動画像を再生することが可能な携帯電話機であって、さらに、ＱＲコード（登録商標）を撮像してＷｅｂサーバをアクセスする機能を備えていることが望ましい。【００１３】  なお、上記した情報とは、静止画像または動画像、および文字の情報を含み、さらに音声を含む静止画像または動画像であってもよい。
【発明の効果】
【００１４】  本発明の情報配信システムは、次のような効果を有している
（１）配信管理サーバは、情報を配信する目的に応じて分類した情報分類コードごとに、予め設定された複数種のカテゴリの情報データを蓄積する情報蓄積サーバのＵＲＬを記憶した配信管理データテーブルを備えている。これにより、多数の配信依頼者からの多様なカテゴリの情報の配信依頼に対して、柔軟に対応でき、かつ、システムの拡張性が高い情報配信システムを提供することが可能になる。【００１５】  （２）配信する情報を配信目的に応じて分類した情報分類名称に対応する情報分類コードを配信依頼者の電話番号に設定しておくと、ユーザは、携帯電話機あるいは配信管理サーバに予め登録したこの配信依頼者の電話番号を情報分類コードとして使用できる。これにより、ユーザは配信要求を行うときに、携帯電話機の画面に表示したＷｅｂページに情報分類コードを入力する必要がなくなる。
【発明を実施するための最良の形態】
【００１６】  以下、本発明を実施するための形態を図面に基づいて説明する。図１は、本発明を実施するためのシステム構成の一例を示す図である。図１において、１ａ、１ｂ、１ｃは、本発明のシステムを利用して情報の配信要求とその配信された情報を画面に再生して視聴するユーザの端末装置であって、携帯電話機から構成される。携帯電話機１ａ等は、前記のように、インターネット接続機能と、３ＧＰＰ（３ｒｄ  Ｇｅｎｅｒａｔｉｏｎ  Ｐａｒｔｎｅｒｓｈｉｐ  Ｐｒｏｊｅｃｔ）の仕様に準拠した機能を備えて、動画像を再生することが可能な携帯電話機であって、さらに、ＱＲコード（登録商標）を撮像するカメラを備えていることが望ましい。【００１７】  また、ユーザの携帯電話機１ａ等は、携帯電話会社がユーザに提供する公式サイト、例えば、ｉモード（ＮＴＴドコモ）に加入していることが望ましい。【００１８】  ２は、パーソナルコンピュータあるいはワークステーション等から構成される配信管理サーバであって、本システムを運営する業者、例えば、配信管理サーバ２を管理・運営する配信管理業者（以下、本システムを運営する業者を配信管理業者という）が所有しているサーバである。配信管理サーバ２は、ユーザの携帯電話機１ａ等からインターネットを介して配信管理サーバ２に情報の配信要求を受信すると、プログラム処理により、この配信要求された情報を蓄積している映像蓄積サーバに対して、この情報を携帯電話機１ａ、等に配信（提供）する制御を行う。２ａは、配信管理業者が所有する端末装置であって、配信管理サーバ２をアクセスして、配信管理サーバ２が備えているデータベースに新規データの登録やメンテナンス等を行なうための端末装置である。【００１９】  ３、４、５は、パーソナルコンピュータあるいはワークステーション等から構成される情報蓄積サーバであり、ユーザの携帯電話機１ａ等から配信要求される情報に関するデータをハードディスク装置等の外部記憶装置に蓄積（記憶）している。情報蓄積サーバ３、４、５に記憶されている情報は、配信管理サーバ２の配信制御により、配信要求を行った携帯電話機１ａ等に配信される。本システムにおいては、これら情報蓄積サーバ３、４、５は配信管理業者の所有としてもよいが、第３者が運営するＷｅｂサーバ等をレンタルサーバとして借用してもよい。また、本システムにおいて、配信依頼者が所有しているサーバが、配信する情報を蓄積している場合には、この配信依頼者のサーバを使用することもできる。【００２０】  なお、本発明のシステムにおいて、システムの規模が小さいとき、すなわち、配信する情報数が少ない場合には、上記の情報蓄積サーバ３、４、５を設ける必要はなく、配信する情報を配信管理サーバ２に蓄積したシステム構成にすることも可能である。【００２１】  ６は、各種の情報誌、パンフレット、カタログ、チラシ広告等の印刷物であって、ＱＲコード（登録商標）７が印刷されている。このＱＲコード（登録商標）７は、本発明のシステムを利用して情報の配信要求を行なうために、配信管理サーバ２等の携帯電話機用ＷｅｂサイトのＵＲＬが表されている。なお、この印刷物６は、ユーザの携帯電話機１ａ等により、ＱＲコード（登録商標）７を撮像して配信管理サーバ２に情報の配信要求を行なうために使用されるが、ユーザが本発明を利用するために必ず必要とするものではない。【００２２】  上記した配信管理サーバ２、端末装置２ａ、情報蓄積サーバ３、４、５は、各地に存在するインターネット・サービス・プロバイダ８を介して通信網であるインターネット９に接続されている。また、ユーザの携帯電話機１ａ、１ｂ、１ｃは、携帯電話サービス会社の地上基地局１０とインターネット接続サーバ（情報センター）１１を介してインターネット９に接続される。
なお、図１には表示していないが、配信依頼者によっては、配信依頼者のＷｅｂサーバもインターネット９に接続されている。【００２３】  配信管理サーバ２は、図２に示すように、そのハードディスク装置等の外部記憶領域内にソフトウエア部２Ｓとデータベース部２Ｄを備えている。
ソフトウエア部２Ｓは、配信管理サーバ２を作動させるための各種のプログラムが記憶されている。ソフトウエア部２Ｓに記憶されているプログラムは、図２に示すように、Ｗｉｎｄｏｗｓ（Ｍｉｃｒｏｓｏｆｔ社）等のＯＳである２Ｓ１、Ｗｅｂプラウザ２Ｓ２、電子メール用ソフトウエア２Ｓ３、配信制御プログラム２Ｓ４、データベース登録保守プログラム２Ｓ５、各種のＷｅｂページ２Ｓ６、等から構成されている。これらの各プログラムは、実行されるときには配信管理サーバ２の主記憶装置に読み込まれる。【００２４】  データベース部２Ｄは、配信管理データテーブル２Ｄ１、配信依頼者データテーブル２Ｄ２、等から構成されている。
配信管理データテーブル２Ｄ１は、予め配信管理業者が設定したチャンネル番号ごとに、配信依頼者から配信依頼された情報を蓄積している情報蓄積サーバ３、４、５のＵＲＬ等を登録したデータベースである。そして、この配信管理データテーブル２Ｄ１は、携帯電話機１ａ等から配信管理サーバ２に対して配信要求が発生したときに、配信制御プログラム２Ｓ４により、映像蓄積サーバ３、４、５に蓄積されている動画像や静止画像等の情報データを配信制御する処理を行うときに参照される。【００２５】  図３に示すように、配信管理データテーブル２Ｄ１には、チャンネル番号ｈ１、配信依頼者名称ｈ２、情報分類名称ｈ３、情報分類コードｈ４、情報蓄積サーバのＵＲＬｈ５、配信期間ｈ６、等に関するデータが記憶（登録）されている。【００２６】  配信管理データテーブル２Ｄ１に記録されるチャンネル番号ｈ１とは、配信管理業者に情報の配信依頼を行なった配信依頼者に対して、配信管理業者がこの配信依頼者との契約により所定の期間、例えば、１年間ほど付与する管理番号である。そして、配信管理業者は、このチャンネル番号ｈ１ごとにユーザに配信する情報について、この情報を蓄積する情報蓄積サーバ３、４、５のＵＲＬｈ５を割付けて、配信管理データテーブル２Ｄ１に登録する。なお、チャンネル番号ｈ１は、システムの規模にもよるが、数字または英数字からなる５〜１２桁程度の番号から構成するとよい。【００２７】  配信管理データテーブル２Ｄ１に記録される配信依頼者名称ｈ２とは、配信管理者に情報の配信を依頼する配信依頼者の名称を示し、例えば、各種の企業、団体、個人の名称（名前）等である。【００２８】  同じく、情報分類名称ｈ３とは、配信依頼者がユーザに情報を配信依頼する目的に応じて、この情報を分類した名称を示す。例えば、図３に示す配信依頼者名称が「レストランＡ」の場合、この配信依頼者は店舗ごとの情報をユーザに提供することを目的にしたので、情報分類名称ｈ３は「レストランＡ」の店舗である「東京店」、「宇都宮店」、・・を示すことになる。
同様に、図３に示すように配信依頼者名称が「ＸＹ証券」の場合、この配信依頼者は、例えば、各上場企業の最新の株価を含む情報をユーザに提供することを目的としたので、情報分類名称ｈ３はこの上場企業の各企業名である「Ａ社」、「Ｂ社」、「Ｃ社」、・・に設定したことを示している。このように、情報分類名称ｈ３は配信依頼者がユーザに情報を配信する目的に応じて、その情報を適切に分類するようにする。【００２９】  同じく、情報分類コードｈ４とは、配信管理業者が配信依頼者と打ち合せの上、上記した情報分類名称ｈ３ごとに設定した固有の識別番号を示す。図３に示す配信依頼者「レストランＡ」では、情報分類コードｈ４として各店舗の市外局番号を含む電話番号を設定したことを示している。同様に、図３に示す配信依頼者「ＸＹ証券」では、情報分類コードｈ４として上場会社名ごとに固有の識別番号、「０００１」、「０００２」、・・・、等を設定したことを示している。【００３０】  同じく、情報蓄積サーバのＵＲＬｈ５とは、ユーザの携帯電話機１ａ等に配信する情報を蓄積する情報蓄積サーバ３、４、５のＵＲＬを示す。このＵＲＬは、スキーム名、ドメイン名、ディレクトリ名とパス名とから構成され、このパス名がユーザの携帯電話機１ａ等に配信する情報データを記憶しているファイル名を示すことになる。【００３１】  本発明においては、ユーザの携帯電話機１ａ等に配信する情報は、情報分類名称ｈ３に対応して予め複数種の情報のカテゴリ１、２、・・・を設定し、ユーザが選択したこのカテゴリに関する情報を配信するようにしたことに特徴がある。従って、このカテゴリ１、２、・・ごとに配信する情報のデータを蓄積する情報蓄積サーバ３、４、５のＵＲＬが、配信管理データテーブル２Ｄ１の情報蓄積サーバのＵＲＬｈ５欄に、これらカテゴリ１、２、・・に関連付けして記憶されている。これにより、予め、配信管理データテーブル２Ｄ１に多数のカテゴリに対応する情報蓄積サーバのＵＲＬｈ５を設定しておくことにより、配信依頼者の多様な情報の配信要求に対応することが可能になる。【００３２】  なお、上記したカテゴリとは、ユーザに配信する情報の種別を示し、配信依頼者の配信目的により複数のカテゴリを決めるようにする。例えば、図３に示す配信依頼者が「レストランＡ」の場合は、このカテゴリとして、図７に示すように、「動画（動画像）」、「地図」、「予約」の３種を設定している。そして、カテゴリ「動画」には、当該店舗を紹介するための動画データが蓄情報蓄積サーバ３、４、５のいずれかに記憶され、そのＵＲＬが配信管理データテーブル２Ｄ１の情報蓄積サーバのＵＲＬｈ５欄の当該カテゴリ欄に記憶される。【００３３】  同様に、カテゴリ「地図」には当該店舗の場所を示す地図のデータが静止画像または動画像として情報蓄積サーバに蓄積され、そのＵＲＬが配信管理データテーブル２Ｄ１の情報蓄積サーバのＵＲＬｈ５欄の当該カテゴリ欄に記憶される。【００３４】  図３に示す配信期間ｈ６とは、情報分類コードｈ５ごとにユーザに配信する情報の配信期間を示し、配信開始日時と配信終了日時のデータから構成される。なお、配信期間ｈ６は、各カテゴリの情報ごとに登録してもよい。この配信期間ｈ６は、ユーザが配信管理サーバ２に情報の配信要求を行なったときに、配信制御プログラム２Ｓ４がこの情報が、予め登録された配信期間を満足しているか否かを判定するために用いられる。【００３５】  続いて、本発明のシステムの作用について説明する。まず、本発明のシステムを構築して稼動させるために、配信管理業者や配信依頼者は、予め下記の事項（１）〜（５）を行っておく必要がある。以下、この内容について説明する。【００３６】  （１）配信管理業者は、本システムに加入する配信依頼者を募集する。
（２）本システムに加入する配信依頼者が決定すると、配信管理業者は配信依頼者と打ち合せの上、情報分類名称ｈ３、情報分類コードｈ４、ユーザに提供する情報のカテゴリの種類、情報の配信期間ｈ６等を決める。また、配信管理業者は、この情報分類名称ｈ３の数に応じて配信依頼者との契約期間中に配信依頼者に付与するチャンネル番号とその数を決定する。【００３７】  （３）配信管理業者は、配信依頼者と情報の配信契約を行うと、配信管理サーバ２、または端末装置２ａを使用してデータベース登録保守プログラム２Ｓ５により、図３に示す配信管理データテーブル２Ｄ１の配信依頼者名ｈ２〜配信期間ｈ６の各欄に、配信依頼者に付与したチャンネル番号ごとにデータを登録する。また、配信管理業者は、ユーザに配信する情報を記憶する情報蓄積サーバを決め、情報のカテゴリごとにそのＵＲＬを、配信管理データテーブル２Ｄ１の情報蓄積サーバのＵＲＬｈ５欄に登録する。【００３８】  （４）必要に応じて、配信依頼者は各種の情報誌等の印刷物６に、ユーザが本システムを利用するためのＷｅｂページのＵＲＬを表すＱＲコード（登録商標）７を印刷したＰＲ情報を掲載する。そして、ユーザは、携帯電話機によりこのＱＲコード（登録商標）７を撮像することにより、本システムを利用するためのＷｅｂページ（携帯電話機用サイト）をアクセスできるようにする。【００３９】  （５）配信管理業者は、ユーザに配信する動画像データ、および静止画像データ等の情報を、配信管理データテーブル２Ｄ１の情報蓄積サーバのＵＲＬｈ５欄に登録したサーバのＵＲＬにアップロードする。【００４０】  なお、配信する動画像であって配信依頼者が携帯電話機で撮像した動画像データを、情報蓄積サーバの３、４、５のいずれかにアップロードする手順は、例えば、次のようにするとよい。まず、配信依頼者は、動画像データを携帯電話機のメールの添付ファイルとして配信管理業者の配信管理サーバ２、または端末装置２ａに送信する。続いて、配信管理業者はこの受信した動画像データを、配信管理データテーブル２Ｄ１に登録した情報蓄積サーバのＵＲＬｈ５にアップロードする。【００４１】（視聴者の配信要求の手順）
続いて、ユーザが携帯電話機１ａ等を使用して、本発明のシステムに情報の配信要求を行なう手順と、この手順に伴う配信管理サーバ２の処理内容について説明する。ユーザが情報の配信要求を行なう手順は、図４に示すようになる。以下、図４に示す手順に基づいて説明する【００４２】（手順ｔ１）
携帯電話１ａ等を使用して、本システムを利用するための携帯電話機用のＷｅｂページ（サイト）をアクセスする。この携帯電話機用のＷｅｂページは、配信管理サーバ２、あるいは、配信依頼者が保有しているＷｅｂサーバで公開するようにする。
また、配信依頼者は、前記のように、本システムを利用するための携帯電話機用のＷｅｂページのＵＲＬと配信依頼者コードを表したＱＲコード（登録商標）７を印刷した情報誌等の印刷物６を広く配布する。そして、ユーザは、携帯電話１ａ等によりこの印刷物７に印刷されたＱＲコード（登録商標）７を撮像して、携帯電話機用のＷｅｂページをアクセスするようにしてもよい。【００４３】  この手順ｔ１により、本システムを利用するための携帯電話機用のＷｅｂページをアクセスすると、配信管理サーバ２の配信制御プログラム２Ｓ４は、図５に示すような情報分類コード入力ＷｅｂページＧ１を表示する処理を行なう。このＷｅｂページＧ１は、例えば、表示されている「店舗（情報分類名称）リスト」をボタン操作により指定すると、配信依頼者の情報分類名称の一覧リストを表示する情報分類名称一覧Ｗｅｂページにリンクされるようにする。【００４４】（手順ｔ２）
ユーザは、図５に示すＷｅｂページＧ１に表示されている「店舗リスト」をボタン操作により指定する。【００４５】（手順ｔ３）
ユーザが、ＷｅｂページＧ１に表示されている「店舗リスト」を指定すると、配信管理サーバ２の配信制御プログラム２Ｓ４は、図６に示すような情報分類名称一覧ＷｅｂページＧ２を表示する処理を行なう。【００４６】  図６に示す情報分類名称一覧ＷｅｂページＧ２は、「レストランＡ」についてその情報分類名称ｈ３となる店舗名の一覧を表示している。ユーザは、この図６に示すＷｅｂページＧ２から希望する店舖名（情報分類名称）をボタン操作により指定する。【００４７】  ユーザが希望する店舗名を指定すると、配信管理サーバ２はこの指定された店舗名を取得することができるので、配信制御プログラム２Ｓ４は、配信管理データテーブル２Ｄ１を参照して、取得した店舗名に対応して配信管理データテーブル２Ｄ１に登録されている情報分類コードｈ４を検索して、この情報分類コードｈ４を主記憶装置に記憶する処理を行なう。【００４８】  図６に示すＷｅｂページＧ２においては、ユーザは店舗名の「宇都宮店」を指定したので、この店舗名「宇都宮店」の情報分類コードｈ４が主記憶装置に記憶されることになる。なお、配信依頼者の「レストランＡ」については、その情報分類名称（店舗名）ｈ３に対応する情報分類コードｈ４には、当該店舗の電話番号が設定されて配信管理データテーブル２Ｄ１に登録されている。【００４９】  続いて、配信制御プログラム２Ｓ４は、携帯電話機１ａ等の画面に図７に示すような配信要求ＷｅｂページＧ３を表示する処理を行なう。図７に示す配信要求ＷｅｂページＧ３は、ユーザに配信する情報について、予め設定された数種のカテゴリに関するメニューを表示すると共に、表示領域Ｇ３ａに、ユーザが指定した情報分類名称に対応する情報分類コードｈ４を表示している。図７に示すＷｅｂページＧ３においては、その表示領域Ｇ３ａに「レストランＡ」の宇都宮店の電話番号が表示されることになる。【００５０】  なお、図７に示す配信要求ＷｅｂページＧ３においては、図５に示すＷｅｂページＧ１にカテゴリのメニューとして、「動画」、「地図」、「予約」、「電話」が追加して表示されている。そして、ユーザがこのＷｅｂページＧ３に表示されている「動画」をボタン操作により指定すると、当該店舗を紹介する動画像が表示されることを示している。
同様にして、ＷｅｂページＧ３の「地図」を指定すると、当該店舗に行くための静止画像または動画像の地図に関する情報が表示されることを示している。同様に、「予約」を指定すると、例えば、当該店舗の端末装置をアクセスして、予約用Ｗｅｂページを携帯電話機１ａ等の画面に表示し、予約に関する情報を入力できることを示している。また、「電話」を指定すると、表示領域Ｇ３ａに表示されている「レストランＡ」の宇都宮店に電話をかけることができることを示している。【００５１】（手順ｔ４）
ユーザは、配信要求ＷｅｂページＧ３に表示されているカテゴリのメニューである「動画」、「地図」、「予約」のなかから、いずれか一つをボタン操作により指定する。
例えば、ユーザが「動画」を指定すると、配信管理サーバ２の配信制御プログラム２Ｓ４は「動画」が指定されたことを取得することができる。これにより、配信管理サーバ２は、「動画」が指定された情報に基づいて配信管理データテーブル２Ｄ１の情報蓄積サーバのＵＲＬｈ５欄を参照して、カテゴリの「動画」に関するデータが記憶されている情報蓄積サーバのＵＲＬｈ５を求め処理を行なう。これにより、配信管理サーバ２は、この求めた情報蓄積サーバのＵＲＬｈ５に基づいて、情報蓄積サーバ３、４、５のいずれかに記憶されている「レストランＡ」の宇都宮店の動画像データを、配信要求を行なった携帯電話機１ａ等に配信することが可能になる。【００５２】  なお、配信要求ＷｅｂページＧ３に表示されるカテゴリのメニュー「動画」、「地図」、「予約」を、配信管理データテーブル２Ｄ１に登録している情報蓄積サーバのＵＲＬｈ５と関連付け（リンク）する方法は、例えば、次の手段（１）または（２）を採用することができる。【００５３】  （１）配信要求ＷｅｂページＧ３に表示する「動画」、「地図」、「予約」を表示するプログラム言語内に、情報蓄積サーバのＵＲＬｈ５を埋め込む。
（２）配信要求ＷｅｂページＧ３に表示する「動画」、「地図」、「予約」を表示するプログラム言語内に、予め設定した複数種のカテゴリ番号（例えば、１、２、３、・・等のオイ番号）を埋め込む。配信制御プログラム２Ｓ４は、このカテゴリ番号を取得すると、取得したカテゴリ番号から配信管理データテーブル２Ｄ１の情報蓄積サーバのＵＲＬｈ５にカテゴリ番号順に登録されているＵＲＬｈ５を求めることができる。【００５４】  配信制御プログラム２Ｓ４は、この処理を行うときに、配信管理データテーブル２Ｄ１の配信期間ｈ６に記憶されている配信期間に関するデータを参照して、ユーザからの配信要求日時がこの配信期間ｈ６に記憶されているデータを満たしているか否かをチェックする処理を行うようにする。【００５５】（手順ｔ５）
上記した手順ｔ１〜ｔ４により、ユーザが配信要求した情報が携帯電話機１ａの画面に表示されるので、ユーザはこの情報を視聴する。【００５６】  なお、上記した手順ｔ１により表示されるＷｅｂページＧ１において、その表示領域Ｇ１ａに、ユーザが手入力により情報の配信を希望する情報分類コードｈ４を直接入力して「受信」ボタンを押すと、配信制御プログラム２Ｓ４は、図７に示すようなＷｅｂページＧ３を表示するように制御してもよい。【００５７】  さらに、本発明のシステムに採用している情報分類コードｈ４として配信依頼者の電話番号を設定し、下記のような手段１〜２を採用すると、ユーザが本システムを利用する操作性を一層向上させることができる。【００５８】（手段１）
ユーザは携帯電話機から、図５〜図７に示す情報分類コード入力ＷｅｂページＧ１、情報分類名称一覧ＷｅｂページＧ２、配信要求ＷｅｂページＧ３を、携帯電話会社の公式サイトからアクセス可能にする。【００５９】（手段２）
ユーザは、予め、携帯電話機が備えている電話帳作成機能を利用して、本システムを利用して、情報分類コードｈ４となる配信依頼者の電話番号を電話帳に登録しておく。すなわち、配信依頼者の情報分類名称（店舗名）とこの情報分類名称に対応する電話番号とを関連付けした電話帳データベースを作成して、携帯電話機に登録する。このとき、配信依頼者名の一覧リストから配信依頼者を指定し、続いて、指定した配信依頼者の情報分類名称（店舗名）の一覧リストから、希望する情報分類名称を指定すると、この指定した配信依頼者名の情報分類名称に対応する電話番号が、図７に示す配信要求ＷｅｂページＧ３の領域Ｇ３ａに自動的に表示することが可能になる。【００６０】  このように、上記した（手段１）、（手段２）を採用すると、ユーザが本システムを利用するための携帯電話機用のＷｅｂサイトをアクセスする操作が著しく簡素化されるので、本システムを利用するユーザ数が増加することが期待できる。【００６１】  上記した本発明に実施形態の説明においては、ユーザの端末装置は携帯電話機を使用する例について説明したが、ユーザの端末装置としてインターネットに接続されたパーソナルコンピュータを使用することも可能である。
【図面の簡単な説明】
【００６２】
【図１】  本発明のシステム構成について、その一例を説明するための図である。
【図２】  図１に示す配信管理サーバについて、ソフトウエア部とデータベース部の構成例を説明するための図である。
【図３】  図１に示す配信管理サーバが備えている配信管理データテーブルについて、そのデータ構成の一例を説明するための図である。
【図４】  本発明のシステムを利用するユーザが、情報の配信要求を行なう手順を説明するための図である。
【図５】  本発明のシステムを利用するユーザが、携帯電話機を利用して情報の配信要求を行ったときに、携帯電話機の画面に表示される画面の一例を説明するための図である。
【図６】  同じく、本発明のシステムを利用するユーザが、携帯電話機を利用して情報の配信要求を行ったときに、携帯電話機の画面に表示される他の画面の一例を説明するための図である。
【図７】  同じく、本発明のシステムを利用するユーザが、携帯電話機を利用して情報の配信要求を行ったときに、携帯電話機の画面に表示される他の画面の一例を説明するための図である。
【符号の説明】
【００６３】  １ａ、１ｂ、１ｃ：携帯電話機
２    ：配信管理サーバ
２Ｄ１：配信管理データテーブル
２Ｓ４：配信制御プログラム
３、４、５：情報蓄積サーバ
９    ：インターネット
Ｇ１  ：情報分類コード入力Ｗｅｂページ
Ｇ２  ：情報分類名称一覧Ｗｅｂページ
Ｇ３  ：配信要求Ｗｅｂページ
【図１】
2007004759.tif 000003
【図２】
2007004759.tif 000004
【図３】
2007004759.tif 000005
【図４】
2007004759.tif 000006
【図５】
2007004759.tif 000007
【図６】
2007004759.tif 000008
【図７】
2007004759.tif 000009